(57)【特許請求の範囲】
【請求項１】
記録画像の１画像中から索引画像となすべき画像領域を指定するための指定手段と、
上記指定手段により指定された画像領域の画面上での位置を示す座標情報を、対応する記録画像のファイル上に記憶する記憶手段と、
上記記憶手段に記憶された座標情報に対応した画像領域の画像を上記記録画像から抽出して索引画像として表示する表示手段とを有し、
上記表示手段は、１画像中に複数の画像領域が上記指定手段により索引画像となすべき画像領域として指定されている場合、上記複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示することを特徴とする画像記録再生装置。
【請求項２】
記録画像を記憶していると共に、上記記録画像の１画像中から索引画像として指定された画像領域の画面上での位置を示す座標情報を上記記録画像のファイル上に記憶した記憶手段から上記記録画像を再生する画像再生装置であって、
上記記憶手段に記憶された上記座標情報に対応した画像領域の画像を上記記録画像から抽出して索引画像として表示する表示手段と、
上記表示手段により表示された索引画像を選択する選択手段とを有し、
上記表示手段は、１画像中に複数の画像領域が上記指定手段により索引画像となすべき画像領域として指定されている場合、上記複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示し、また前記選択手段により索引画像が選択された場合、上記選択された索引画像に対応する記録画像を表示することを特徴とする画像再生装置。
【請求項３】
上記表示手段は、上記記録画像を表示する際に、上記記録画像中に上記索引画像として指定された画像領域を強調表示することを特徴とする請求項２に記載の画像再生装置。
【請求項４】
上記表示手段は、上記索引画像を表示する際に、上記索引画像をほぼ同一の大きさに変倍して１画面上に複数同時表示することを特徴とする請求項２に記載の画像再生装置。
【請求項５】
上記表示手段は、上記索引画像を表示する際に、上記索引画像の外形輪郭を上記指定手段により指定された外形輪郭の形状に合わせて表示することを特徴とする請求項２に記載の画像再生装置。
【請求項６】
記録画像の１画像中から索引画像となすべき画像領域を指定するための指定手段と、
上記指定手段により指定された画像領域の縮小画像を、対応する記録画像のファイル上に記憶する記憶手段と、
上記記憶手段に記憶された縮小画像を索引画像として表示する表示手段とを有し、
上記表示手段は、１画像中に複数の画像領域が上記指定手段により索引画像となすべき画像領域として指定されている場合、上記複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示することを特徴とする画像記録再生装置。
【請求項７】
記録画像の１画像中から索引画像となすべき画像領域を指定するための指定工程と、
上記指定工程で指定された画像領域の画面上での位置を示す座標情報を、対応する記録画像のファイル上に記憶する記憶工程と、
上記記憶工程で記憶された座標情報に対応した画像領域の画像を上記記録画像から抽出して索引画像として表示する表示工程とを有し、
上記表示工程では、１画像中に複数の画像領域が上記指定工程で索引画像となすべき画像領域として指定されている場合、上記複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示することを特徴とする画像記録再生方法。
【請求項８】
記録画像を記憶していると共に、上記記録画像の１画像中から索引画像として指定された画像領域の画面上での位置を示す座標情報を上記記録画像のファイル上に記憶した記憶手段から上記記録画像を再生する画像再生方法であって、
上記記憶手段に記憶された上記座標情報に対応した画像領域の画像を上記記録画像から抽出して索引画像として表示手段に表示させる第１の表示工程と、
上記表示手段により表示された索引画像を選択する選択工程と、
上記選択工程で選択された索引画像に対応する記録画像を上記表示手段に表示させる第２の表示工程とを有し、
上記第１の表示工程では、１画像中に複数の画像領域が上記指定手段により索引画像となすべき画像領域として指定されている場合、上記複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示することを特徴とする画像再生方法。
【請求項９】
記録画像の１画像中から索引画像となすべき画像領域を指定するための指定工程と、
上記指定工程で指定された画像領域の縮小画像を、対応する記録画像のファイル上に記憶する記憶工程と、
上記記憶手段に記憶された縮小画像を索引画像として表示する表示工程とを有し、
上記表示工程では、１画像中に複数の画像領域が上記指定手段により索引画像となすべき画像領域として指定されている場合、上記複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示することを特徴とする画像記録再生方法。
【発明の詳細な説明】
【０００１】
【産業上の利用分野】
本発明は、画像記録再生装置、画像再生装置、及びそのそれぞれの方法に関する。
【０００２】
【従来の技術】
近年、撮影された画像をデジタル信号として半導体メモリカードや小型のハードディスク（光ディスク）等のデジタル記録媒体に記録するデジタル電子スチルカメラが開発されるにいたっている。そして上記デジタル記録媒体は、パーソナルコンピュータでもデータを読むことができるように構成されている。
【０００３】
通常、画像情報は人間が見て初めて理解、識別できるものであるため、画像情報の再生時には、縮小された複数の画像を並べて表示し、この縮小画像を索引画像として画像ファイルの中身を確認する仕様が一般的である。
【０００４】
【発明が解決しようとする課題】
しかしながら、上述の縮小画像の索引表示は、例えば画像全体の縦、横をそれぞれ単純に１／８に間引くなどの縮小を行うため、重要な情報も判別できない位まで縮小されてしまい、従ってこの縮小画像を索引として利用することができない場合が多い。すなわち、書類などを撮影した画像の場合は、文字情報はほとんど読解できない大きさに縮小されてしまう。例えば、図７に示すような書類を撮影した場合は、書類上のタイトル等（図７では“＜発明が解決しようとする問題点＞”をインデックス情報としてユーザーに提示することが望ましいが、全体を縮小してしまうと、ほとんどの文字は読解できなくなってしまうため、本来の索引画像表示の目的を達成できなかった。
【０００５】
このような欠点を補うため、従来は、図８に示すように、索引となりうる重要な情報のみを大写しにした画像と、全体を撮影した画像（図７）の２つを記録しておき、後に検索する際には、重要な情報のみを大写しにした画像の縮小画像の中から目的とする縮小画像を捜し、その捜し出した縮小画像との時間的な関連をたよりに全体を撮影した画像を得るという方法を採っていた。しかしながら、この方法によると、撮影の手間が増えてしまい、また、大写しにしても図８のように必ずしも重要な情報が効率良く画面に収められない場合があるため効率が非常に悪く、記録ファイルの数が増えて記録媒体の容量を余計に費やしてしまうと共に、記録ファイル管理が煩雑になる等の問題を生ずる。また、索引情報としておきたい情報は、１枚の画像中に複数存在している場合があるが、これらの複数の情報を含ませるために画像全体を縮小してしまうと、全ての情報が均一に縮小されてしまい、索引情報としてふさわしい情報を得ることができなかった。
【０００６】
そこで本発明は、上記の問題点を解決して、本来の索引画像表示の目的にそった画像情報を提示することができる画像記録再生装置、画像再生装置、及びそのそれぞれの方法を提供することを目的としている。
【０００７】
【課題を解決するための手段】
上記課題を解決するその一つの発明の画像記録再生装置は、記録画像の１画像中から索引画像となすべき画像領域を指定するための指定手段と、上記指定手段により指定された画像領域の画面上での位置を示す座標情報を、対応する記録画像のファイル上に記憶する記憶手段と、上記記憶手段に記憶された座標情報に対応した画像領域の画像を上記記録画像から抽出して索引画像として表示する表示手段とを有し、上記表示手段は、１画像中に複数の画像領域が上記指定手段により索引画像となすべき画像領域として指定されている場合、上記複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示することを特徴とする。
【０００８】
また、上記課題を解決するその一つの発明の画像再生装置は、記録画像を記憶していると共に、上記記録画像の１画像中から索引画像として指定された画像領域の画面上での位置を示す座標情報を上記記録画像のファイル上に記憶した記憶手段から上記記録画像を再生する画像再生装置であって、上記記憶手段に記憶された上記座標情報に対応した画像領域の画像を上記記録画像から抽出して索引画像として表示する表示手段と、上記表示手段により表示された索引画像を選択する選択手段とを有し、上記表示手段は、１画像中に複数の画像領域が上記指定手段により索引画像となすべき画像領域として指定されている場合、上記複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示し、また前記選択手段により索引画像が選択された場合、上記選択された索引画像に対応する記録画像を表示することを特徴とする。
【０００９】
また、上記課題を解決するその一つの発明の画像記録再生装置は、記録画像の１画像中から索引画像となすべき画像領域を指定するための指定手段と、上記指定手段により指定された画像領域の縮小画像を、対応する記録画像のファイル上に記憶する記憶手段と、上記記憶手段に記憶された縮小画像を索引画像として表示する表示手段とを有し、上記表示手段は、１画像中に複数の画像領域が上記指定手段により索引画像となすべき画像領域として指定されている場合、上記複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示することを特徴とする。
【００１０】
また、上記課題を解決するその一つの発明の画像記録再生方法は、記録画像の１画像中から索引画像となすべき画像領域を指定するための指定工程と、上記指定工程で指定された画像領域の画面上での位置を示す座標情報を、対応する記録画像のファイル上に記憶する記憶工程と、上記記憶工程で記憶された座標情報に対応した画像領域の画像を上記記録画像から抽出して索引画像として表示する表示工程とを有し、上記表示工程では、１画像中に複数の画像領域が上記指定工程で索引画像となすべき画像領域として指定されている場合、上記複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示することを特徴とする。
【００１１】
また、上記課題を解決するその一つの発明の画像再生方法は、記録画像を記憶していると共に、上記記録画像の１画像中から索引画像として指定された画像領域の画面上での位置を示す座標情報を上記記録画像のファイル上に記憶した記憶手段から上記記録画像を再生する画像再生方法であって、上記記憶手段に記憶された上記座標情報に対応した画像領域の画像を上記記録画像から抽出して索引画像として表示手段に表示させる第１の表示工程と、上記表示手段により表示された索引画像を選択する選択工程と、上記選択工程で選択された索引画像に対応する記録画像を上記表示手段に表示させる第２の表示工程とを有し、上記第１の表示工程では、１画像中に複数の画像領域が上記指定手段により索引画像となすべき画像領域として指定されている場合、上記複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示することを特徴とする。
【００１２】
また、上記課題を解決するその一つの発明の画像記録再生方法は、記録画像の１画像中から索引画像となすべき画像領域を指定するための指定工程と、上記指定工程で指定された画像領域の縮小画像を、対応する記録画像のファイル上に記憶する記憶工程と、上記記憶手段に記憶された縮小画像を索引画像として表示する表示工程とを有し、上記表示工程では、１画像中に複数の画像領域が上記指定手段により索引画像となすべき画像領域として指定されている場合、上記複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示することを特徴とする。
【００２０】
【実施例】
以下、本発明の実施例を図面に基づき説明する。
図１は、本発明の要素的特徴を示す機能構成図である。
指定部１は、マウス等のポインティングデバイスにより構成され、この指定部１により、撮影され記録された記録画像２の中から索引画像となすべき画像領域２ａ、２ｂを指定する。この指定部１により指定された画像領域２ａ、２ｂを示す画像領域情報は、記憶制御部３によりメモリカード、ハードディスク等により構成される記憶部４に記憶させられる。その際、記録画像２が記憶部４に記録されている場合には、各記録画像２の画像ファイルに上記画像領域情報を付加して記憶させる。また、記録画像が記憶部４とは別の記憶媒体に記録されている場合には、上記画像領域情報を各記録画像２にアドレス等で関連付けて記憶部４に記憶させる。
【００２１】
記録画像２の再生時には、表示制御部５が記憶部４に記憶されている画像領域情報に基づき記録画像２中の対応する画像領域２ａ、２ｂの画像を索引画像として画面６に表示させる。なお、表示制御部５は、索引画像を画面６に表示させる際に、後述する表示形態、強調表示付加、変倍、形状指定、一体表示付加、スクロール等の制御を行う機能を有している。
【００２２】
ユーザーが、索引画像２ａ、２ｂが表示された画面６を見ながらマウス等のポインティングデバイスにより構成される選択部７の操作により、索引画像の選択を行うと、表示制御部５は選択された索引画像に対応する記録画像２を画面６に表示させる。これにより、ユーザーは目的とする記録画像を容易かつ確実に得ることができる。索引画像となすべき画像領域を変更する等の場合には、削除指示部８の操作により該当する画像領域情報を記憶部４から削除する。
【００２３】
なお、上記記憶制御部３、表示制御部５は、後述するＣＰＵ１０７、ＲＯＭ１１０、ＲＡＭ１１１からなるマイクロコンピュータシステムにより構成されている。
【００２４】
図２は、本発明が実施された電子スチルカメラの一構成例を示すブロック図である。
【００２５】
図２において、レンズ１０１により捕らえられた被写体の光学像は、後方に位置する例えばＣＣＤ（Charge-Coupled Device ）からなる撮像デバイス１０２によって映像電気信号に変換される。
【００２６】
撮像デバイス１０２は、ＣＰＵ１０７によって与えられる制御信号に応答して被写体の光学像に対応する電荷の蓄積、映像信号の読み出しを行う。そして読み出された映像信号は、Ａ／Ｄ変換器１０３によってデジタル信号に変換される。なお、撮像デバイス１０２とＡ／Ｄ変換器１０３との間には、ガンマ補正、色信号の形成分離、ホワイトバランス処理等の映像信号を調整する図示しない各手段が設けられている。また、図２においては、本案の説明と直接関係ないビデオカメラ部分の絞り、シャッター等の図示は省略してある。
【００２７】
Ａ／Ｄ変換器１０３によってデジタル信号に変換された映像信号は、画像メモリ１０４に記憶される。
【００２８】
圧縮符号化復号化部１０５は、画像メモリ１０４から画像データを読み出し、圧縮符号化する。この圧縮符号化された画像データは記録制御部１０６を介して記録媒体１０７に書き込まれる。圧縮方式としては、例えば国際標準方式として規定されているＪＰＥＧ方式（ISO/IEC DIS 10918-1 に記載されている圧縮方式）を用いることができる。
【００２９】
記録制御部１０６は、例えば記録媒体のためのインタフェースとしてＪＥＩＤＡなどで規定されたインタフェースで構成される。すなわち、圧縮符号化復号化部１０５から受け取ったデータをインタフェースプロトコルに従って記録媒体に書き込む、あるいは記録媒体から読みだすためのロジック回路及びインタフェースコネクタから成る。
【００３０】
記録媒体１０８はそれに適合するメモリカードやハードディスク（光ディスク）などを用いる。記録媒体上のファイルフォーマットとしては、例えばＪＥＩＤＡのＤＯＳファイルシステム規約に従って記録する。
【００３１】
ＣＰＵ１０７は、ＲＯＭ１１０に格納されたプログラムに基づき、後述する図４の処理を実行すると共に、この電子スチルカメラを構成する各部の制御を行う。ＲＡＭ１１１は、ＣＰＵ１０７の各種処理の実行過程でデータを一時的に格納したり、処理後のデータを格納したりするためのものである。
【００３２】
画像再生時には、記録媒体１０８に記録された画像情報は記録制御部１０６を介して圧縮符号化復号化部１０５に供給されて復号され、メモリ１０４に再度格納される。この画像情報は、Ｄ／Ａ変換器１２０によってアナログの映像信号に変換され、映像出力部１２１に出力され、これによってユーザーが撮影した画像を確認できる。この場合の映像出力部１２１は、ＥＶＦ（Electric View Finder）やＬＣＤパネル等の表示デバイスによって実現される。
【００３３】
メモリ１０４は、ＣＰＵ１０７によって画素単位でアクセスすることが可能なように構成されている。従って、操作部１０９を構成する操作部材としてトラックボールやマウス、或いはＬＣＤパネル上にタッチパネル（感圧式のデジタイザパネル）を実装することによって、メモリ１０４に記憶された画像のうちの部分画像をユーザーに選択させることが可能となる。すなわち、ＣＰＵ１０７は、トラックボールやタッチパネル上のペンの動きを追跡してメモリ１０４に記憶された画像の上に矩形などのグラフィックスを表示することでユーザーに部分画像の選択を行わせることができる。
【００３４】
ユーザーが登録する画像領域情報である索引矩形情報は、画像ファイルの適当なヘッダー部分などに格納する。例えば、ＪＰＥＧのデータ形式では、アプリケーション特有の情報を格納するためのフィールドがある。具体的には、図３に示すように、アプリケーションセグメントマーカーコードＡＰＰ０の後に、セグメント長を示す２バイト（マーカーコード、セグメント長自身の長さを除くセグメント長）に続いて索引矩形情報が格納されていることを示すためのアスキー文字列、例えば４文字で“ＴＮＲＴ”を挿入する。続いて登録されている矩形の数を示す変数RectNum を挿入する。この情報のためには例えば２バイトのフィールドがあれば十分である。続いて、その数だけの矩形情報を挿入する。通常一つの矩形情報を表現するために座標系を用いて左上、右下の計４つの座標値をそれぞれ格納する。例えば、画像データの大きさが縦、横それぞれ２バイトで表現されるとすると、２＊４バイトのフィールドが必要となる。
【００３５】
例としてRectNum が値３のときはＡＰＰ０のセグメント長は以下のように計算される。
“ＴＮＲＴ”４バイト＋RectNum ２バイト＋矩形情報２４バイト＝３０バイト
【００３６】
索引縮小画像表示をするときは、原画像のうちこの矩形情報に対応した部分画像を切り取り、さらに縮小するなどして映像出力部１２１に表示する。
【００３７】
操作部１０９は、上記ポインティングのための操作部材の他、レリーズ動作を起動するためのスイッチボタンなどからなる。
【００３８】
また、ＣＰＵ１０７は、メモリ１０４に図５に示すようなコントロールパネルを描画し、ポインティングデバイスのパネル上でのクリック押下に対応するようにプログラムする。従って、画像情報の選択情報の編集、例えばユーザーが選択した矩形情報の索引矩形としての登録、表示、削除等の作業をさせるためのユーザーインタフェースを構成できる。例えば、本案に最低限必要なコントロールボタンとして、図５に示す削除（５０１）及び索引画像表示（５０２）の仮想ボタンを備える。
【００３９】
次に、ポインティングデバイス及び図５のコントロールボタンを用いて索引矩形を編集する際にＣＰＵ１０７によって実行される処理を図４のフローチャートを用いて以下に説明する。
【００４０】
通常再生モードに入ると、カメラはステップ２０１で索引縮小画像表示モードに入り、撮影された画像の全体画像又は部分画像の縮小画像を索引画像として列挙して表示させる。この時、一つの画像に登録された索引矩形が複数あればそれぞれに対応する縮小画像を表示するようにしても良い。その際、その複数の縮小画像が一つの撮影画像に属するものであることを示すために、例えば図５に示すように、一体表示５０６を付加するようにしても良い。
【００４１】
また、ユーザーにより指定される索引矩形は不定型であるため、撮影画像全体の縮小画像を索引画像として表示させる場合とほぼ同程度の大きさの枠に収まるように変倍して表示するようにしても良い。
【００４２】
さらに、図５の索引表示５０３のように、スクロール表示ができるようにスクロールバー５０４を伴ってユーザーインタフェースを構成し、細長い画像を表示できるようにしても良い。
【００４３】
また、上記の表示方法を組み合わせるようにしても良い。すなわち、矩形の縦と横の比が近いときは、変倍して全体画像の縮小画像を索引画像とする場合と同じ大きさの枠に収める。そうでないときは、スクロールできるように縦、横それぞれ、あるいはどちらかにスクロールバー５０４を設け、かつ適当な変倍をして表示させるようにする。
【００４４】
また、図５の索引表示５０５のように、細長い矩形は折り返して表示するようにしても良い。さらに、索引表示５０７のように、外形輪郭の枠を索引矩形の形状に合わせるようにしても良い。また、ユーザーにより指定された部分画像を索引画像として表示する場合には、撮影画像全体の縮小画像を索引画像とするものと区別するため、表示形態、例えば枠の色、幅等を変えるようにして、ユーザーによる識別性を一層高めるようにしても良い。
【００４５】
次に、図４のステップ２０２〜２０４で、ユーザーがポインティングデバイスで、ある索引縮小画像をクリックすると、カメラはその原画像の拡大表示を行う。このとき、本フローチャートで既に登録された矩形情報がその原画像の画像ファイル中にある場合には、その矩形の外形輪郭も原画像と重ね合わせて表示する。すなわち、例えば図６に示すように、文字列‘＜発明が解決しようとする問題点＞’を囲む矩形が一緒に表示される。この表示によって、その画像の注目すべき部分をより強調することができる。
【００４６】
次に、ステップ２０５で、ユーザーによるポインティングデバイスのクリックを待ち、ステップ２０６でクリックされた場所が既に登録された矩形の近辺であることを検出した場合には、ステップ２１０に進んでクリックされた場所の近辺にある矩形を今回選択された矩形とし、その矩形を通常の表示とは異なる表示にしてその矩形が選択されたことを示す。表示の方法としては、例えば通常の表示は実線表示とし、選択時は破線表示とする。
【００４７】
一方、ステップ２０７でクリックされた場所が削除ボタン５０１であることを検出した場合には、ステップ２１１に進み、そのとき選択中の矩形があればその選択をやめる。すなわち、破線表示を取り止め、通常の表示状態にもどす。そしてその矩形情報を画像ファイルから削除し、矩形の表示を消す。
【００４８】
また、ステップ２０８でクリックされた場所が索引画像表示ボタン５０２であることを検出した場合には、ステップ２０１の索引縮小画像表示処理に戻り、また、ステップ２０９で、クリックされた場所が画像中の他の部分であることを検出した場合には、ステップ２１２に進む。
【００４９】
ステップ２１２では、まずそのとき選択中の矩形があればその選択をやめる。すなわち破線表示を取り止め、通常の表示に戻す。次に、ユーザーの操作するポインティングデバイスの動きに追従して矩形を描画する。例えば、最初にクリックしたポイントを一つの角としてユーザーがポインティングデバイスを移動させたポイントをその対角とする矩形を描画する。ユーザーの操作に伴って矩形が変化すればそれ以前に描画された矩形は消去して常に一つの矩形だけをユーザーに提示する。この処理は、ユーザーがポインティングデバイスを離すまで続けられる。そしてユーザーによる矩形の描画が終了すると、ＣＰＵ１０７は最終的にユーザーが描画した矩形情報を対応する原画像の画像ファイルに書き込む。
【００５０】
＜他の実施例＞
上記実施例では、矩形情報のみを原撮影画像の画像ファイルに付加するようにしたが、矩形情報の登録時に同時に縮小画像を作成して対応する撮影画像の画像ファイル中に付加するようにしても良く、また矩形情報を付加することなく、縮小画像のみを撮影画像の画像ファイル中に付加するようにしても良い。このようにした場合には、次回の索引縮小画像表示の際に、索引画像となる縮小画像の作成をしなくても済むため、索引画像の表示処理を高速に行うことができる。
【００５１】
また、本発明の画像領域情報として、上記矩形情報の代わりに、索引画像となすべき部分画像の画像情報自体を対応する撮影画像の画像ファイルに付加するように構成しても良い。
【００５２】
さらに、上記実施例では、カメラ自体によって矩形情報を生成し、その矩形情報に基づき索引画像を表示し、撮影画像を再生する例につき説明したが、パーソナルコンピュータ等のコンピュータによっても同様な処理を行うことが可能である。
【００５３】
【発明の効果】
以上説明したように本発明によれば、ユーザーが索引としたい部分画像だけを索引画像として表示させることができるように構成したので、縮小表示した場合であっても索引として必要な情報が欠落することがない良好な索引画面を得ることができる。
また、一画像中に複数の画像領域が索引画像となすべき画像領域として指定されている場合に、上記複数の索引画像を表示する際に上記複数の索引画像が一つの記録画像に対応するものであることを示す表示を付加するので、ユーザーが所望する画像を従来よりも正確に判断することができるとともに、検索画像が記録画像の全体を示すのか否かを区別することができる。
【００５５】
また、原画像を表示させた際に、索引画像となっている部分に強調表示を行った場合、ユーザーはその強調表示により容易にその画像の主題をつかむことができるようになる。
【００５６】
また、索引画像をほぼ同一の大きさに変倍して複数同時表示させた場合、索引画像を整然と表示できる。
【００５７】
また、索引画像の外形輪郭を指定された外形輪郭の形状に合わせて表示させた場合、ユーザーの指定意図に合致した索引画像を表示できる。
【００６０】
さらにまた、指定手段により指定された画像領域の縮小画像を記憶手段に記憶させ、この縮小画像を索引画像として表示させるように構成した場合には、索引画像の表示処理を高速に行うことができる。
【図面の簡単な説明】
【図１】本発明の要素的特徴を示す機能構成図である。
【図２】本発明が実施された電子スチルカメラの一構成例を示すブロック図である。
【図３】ＪＰＥＧ方式の画像ファイルの一部のデータフォーマットを示す図である。
【図４】索引矩形の編集処理の処理手順を示すフローチャートである。
【図５】索引縮小画像の表示例を示す図である。
【図６】原画像の表示例を示す図である。
【図７】撮影画像を示す図である。
【図８】従来の索引縮小画像の作成方法を説明するための図である。
【符号の説明】
１  指定部
２  撮影画像（記録画像）
２ａ、２ｂ  指定画像領域の画像
３  記憶制御部
４  記憶部
５  表示制御部
６  表示画面
７  選択部
１０１  レンズ
１０２  撮像デバイス
１０３  Ａ／Ｄ変換器
１０４  画像メモリ
１０５  圧縮符号化復号化部
１０６  記録制御部
１０７  ＣＰＵ
１０８  記録媒体
１０９  操作部
１１０  ＲＯＭ
１１１  ＲＡＭ
【図１】
0003919237.tif 000002
【図２】
0003919237.tif 000003
【図３】
0003919237.tif 000004
【図４】
0003919237.tif 000005
【図５】
0003919237.tif 000006
【図６】
0003919237.tif 000007
【図７】
0003919237.tif 000008
【図８】
0003919237.tif 000009